(57)【特許請求の範囲】
【請求項１】
基端側を部分糊付けした多数枚の付箋紙から成りセットされた付箋紙束の、最上位の先端側を捲り上げた付箋紙を糊付け部から引き剥がして供給する付箋紙供給装置において、
前記付箋紙束をセットする付箋紙ホルダと、
前記付箋紙ホルダに臨み、捲り上げた前記付箋紙を先端側から引き剥がす引剥し機構と、
捲り上げた前記付箋紙の下側に潜入して前記付箋紙束を押える束押え機構と、
駆動源からの動力を前記引剥し機構および前記束押え機構にそれぞれ伝達し、当該引剥し機構および当該束押え機構を連動させる動力伝達機構と、を備えたことを特徴とする付箋紙供給装置。
【請求項２】
前記束押え機構は、前記付箋紙束を幅方向に亘って押えることを特徴とする請求項１に記載の付箋紙供給装置。
【請求項３】
前記束押え機構は、前記付箋紙束の基端側を押えることを特徴とする請求項１または２に記載の付箋紙供給装置。
【請求項４】
前記束押え機構は、前記付箋紙束に接触してこれを押える押え部と、基端側を中心に回動自在に構成され、先端側に支持した前記押え部を前記付箋紙束を押える押圧位置と離間したホーム位置との間で移動させる回動アームとを有し、
前記回動アームは、前記動力伝達機構から動力を入力して回動することを特徴とする請求項１ないし３のいずれかに記載の付箋紙供給装置。
【請求項５】
前記押え部のホーム位置は、前記付箋紙束の先端から外側に外れた位置に設定されていることを特徴とする請求項４に記載の付箋紙供給装置。
【請求項６】
前記押え部は、前記回動アームに支持された押え本体と、
前記押え本体に揺動自在に支持されると共に、前記付箋紙束を押さえ込む押え込み動作において、前記回動アームの略接線方向に沿う傾斜姿勢から前記付箋紙束に対し平行な水平姿勢となるように揺動範囲が規制された押え補助部材と、を有していることを特徴とする請求項４または５に記載の付箋紙供給装置。
【請求項７】
セットされた前記付箋紙束の前記糊付け部を前記付箋紙の引き剥がしに抗するように上側から押えると共に、当該付箋紙の引き剥がしに伴う当該付箋紙束の先端側へのスライドを許容する押圧部材を更に備え、
前記押え部は、ローラで構成されていることを特徴とする請求項４または５に記載の付箋紙供給装置。
【請求項８】
セットされた前記付箋紙束の前記糊付け部を前記付箋紙の引き剥がしに抗するように上側から押えると共に、当該付箋紙の引き剥がしに伴う当該付箋紙束の先端側へのスライドを許容する押圧部材を更に備え、
前記押え部は、前記回動アームに支持された押え本体と、
前記押え本体に揺動自在に支持された揺動アーム、および前記揺動アームに取り付けたローラから成る押え補助部材とで構成され、
前記押え補助部材は、前記付箋紙束を押さえ込む押え込み動作において、前記回動アームの略接線方向に沿う傾斜姿勢から前記付箋紙束に対し平行な水平姿勢となるように揺動範囲が規制されていることを特徴とする請求項４または５に記載の付箋紙供給装置。
【請求項９】
前記引剥し機構は、
前記付箋紙束に転接して前記付箋紙を一旦撓ませてからその上側に撥ね上げると共に、前記付箋紙束から離間し捲り上げた前記付箋紙を引き剥がすように送り出す摩擦ローラと、
先端部に前記摩擦ローラを回転自在に支持すると共に、基端部を中心に回動自在に構成されたピックアップアームとを有し、
前記ピックアップアームは、前記動力伝達機構から動力を入力して回動し、前記摩擦ローラを前記付箋紙束に対し離接移動させることを特徴とする請求項４ないし８のいずれかに記載の付箋紙供給装置。
【請求項１０】
前記ピックアップアームと前記回動アームとは、同方向に回動することを特徴とする請求項９に記載の付箋紙供給装置。
【請求項１１】
前記動力伝達機構は、前記駆動源から入力した動力により回転する回転円板と、
前記回転円板の一方の端面に形成した端面カム溝と、
前記回転円板の他方の端面に突設した偏心ピンとを有し、
前記端面カム溝は、前記回転円板の回転動作を前記回動アームおよび前記ピックアップアームの一方の回動動作に変換する端面カム機構を構成し、
前記偏心ピンは、前記回転円板の回転動作を前記回動アームおよび前記ピックアップアームの他方の回動動作に変換する反対カム機構を構成していることを特徴とする請求項９または１０に記載の付箋紙供給装置。
【請求項１２】
前記駆動源は、前記摩擦ローラを回転駆動させる動力源を兼ねており、
前記摩擦ローラは、前記回転円板の周面に形成したギヤを含むギヤ列を介して回転することを特徴とする請求項１１に記載の付箋紙供給装置。
【請求項１３】
基部側の糊付け部で部分糊付けした多数枚の付箋紙から成ると共に前記糊付け部を押えた状態で水平にセットされた付箋紙束に対し、最上位の前記付箋紙を斜め先上がりに捲り上げた後、斜め先方に引き出すように引き剥がして供給する付箋紙供給装置において、
前記付箋紙束を水平にセットする付箋紙ホルダと、
前記付箋紙の引き剥がしに抗するように前記糊付け部を上側から押える押圧部材とを備え、
前記押圧部材は、前記糊付け部の基端側を押える押圧部と、前記押圧部から先方に延び前記付箋紙の斜め先上がりを非押圧状態で許容する非押圧部とを有することを特徴とする付箋紙供給装置。
【請求項１４】
前記非押圧部の下面は、斜め先上がりに傾斜していることを特徴とする請求項１３に記載の付箋紙供給装置。
【請求項１５】
前記押圧部は、前記付箋紙の引き剥がしに伴う前記付箋紙束の前記非押圧部側へのスライドを許容することを特徴とする請求項１３または１４に記載の付箋紙供給装置。
【請求項１６】
基部側の糊付け部で部分糊付けした多数枚の付箋紙から成ると共に前記糊付け部を押えた状態で水平にセットされた付箋紙束に対し、最上位の前記付箋紙を斜め先上がりに捲り上げた後、斜め先方に引き出すように引き剥がして供給する付箋紙供給装置において、
前記付箋紙束を水平にセットする付箋紙ホルダと、
前記付箋紙の引き剥がしに抗するように前記糊付け部を上側から押える押圧部材とを備え、
前記押圧部材は、前記糊付け部の基端側を押える押圧部と、前記押圧部から先方に延び前記付箋紙の引き剥がしに伴って斜め先上がりに角度変化可能な引剥し許容部とを有することを特徴とする付箋紙供給装置。
【請求項１７】
前記押圧部は、前記付箋紙の引き剥がしに伴う前記付箋紙束の前記引剥し許容部へのスライドを許容することを特徴とする請求項１６に記載の付箋紙供給装置。
【請求項１８】
前記押圧部材と前記付箋紙ホルダとが、一体に形成されていることを特徴とする請求項１３ないし１７のいずれかに記載の付箋紙供給装置。
【請求項１９】
請求項１ないし１８のいずれかに記載の付箋紙供給装置と、
付箋紙を印刷する印刷機構と、を備えたことを特徴とする付箋紙プリンタ。
【発明の詳細な説明】
【０００１】
【発明の属する技術分野】
本発明は、付箋紙束から先端側を捲り上げた最上位の付箋紙を、その糊付け部から引き剥がして供給する付箋紙供給装置およびこれを備えた付箋紙プリンタに関するものである。
【０００２】
【従来の技術】
付箋紙は、通常、その基端側を部分糊付けして多数枚を積層した付箋紙束の形態で提供され、ユーザにより付箋紙束から一枚ずつ引き剥がされては、メモ書きされ、ファイルなどの被着体に貼着されている。この付箋紙の引剥し作業は、付箋紙束を上側から押えた状態で、捲り上げた付箋紙の先端部を基端側へと引っ張るようにして、すなわち付箋紙束に対し鈍角方向に引き戻すようにして糊付け部から引き離すことで行われている。
【０００３】
【発明が解決しようとする課題】
ところで、束からなる付箋紙に印刷を行う付箋紙プリンタとして公知のものはないが、付箋紙プリンタにおいて、セットした付箋紙束の最上位の付箋紙は、印刷の前後のいずれかの時点で引き剥がされることとなる。したがって、この引き剥がしの場合にも、付箋紙束を押えていないと、引き剥がしにより、付箋紙束のセット位置がずれ、後続の付箋紙の引き剥がしや印刷に支障をきたす不具合が生じるおそれがある。
しかし、予め付箋紙束を広い面積で上側から押えておくと、引き剥がしの前提となる付箋紙の捲り上げに支障をきたしてしまう。また、付箋紙束の糊付け部側を押えておくことで、付箋紙の捲り上げには支障をきたさないが、この押えが却って邪魔となり、鈍角方向には引き剥がし難くなる。一方、鋭角方向に引き出そうとすると、今度は粘着力の影響を強く受けるため、付箋紙の重ね引き剥がしや、付箋紙束が押えから離脱するなどの不具合が生じるおそれがある。したがって、鋭角方向に引き剥がす場合に、糊付け部側の押え面積を単純に小さくすることは、引き剥がし易くはなるが、付箋紙束のセット状態を一層不安定にしてしまう。
【０００４】
本発明は、付箋紙束のセット状態を安定に維持すると共に、捲り上げた付箋紙を、簡単な構成で且つ確実に、付箋紙束から一枚ずつ適切に引き剥がすことができる付箋紙供給装置およびこれを備えた付箋紙プリンタを提供することをその目的としている。
【０００５】
【課題を解決するための手段】
本発明の付箋紙供給装置は、基端側を部分糊付けした多数枚の付箋紙から成りセットされた付箋紙束の、最上位の先端側を捲り上げた付箋紙を糊付け部から引き剥がして供給する付箋紙供給装置において、付箋紙束をセットする付箋紙ホルダと、付箋紙ホルダに臨み、捲り上げた付箋紙を先端側から引き剥がす引剥し機構と、捲り上げた付箋紙の下側に潜入して付箋紙束を押える束押え機構と、駆動源からの動力を引剥し機構および束押え機構にそれぞれ伝達し、引剥し機構および束押え機構を連動させる動力伝達機構と、を備えたことを特徴とする。
【０００６】
この構成によれば、束押え機構が、先端側を捲り上げた付箋紙の下側に干渉することなく潜り込み、セットした付箋紙束を押えた状態とする。これにより、付箋紙を先端側に引くように引き剥がしても、付箋紙束に撓みなどの変形が生じるのを好適に抑制することができるため、付箋紙束のセット状態を安定に維持することができると共に、付箋紙を一枚ずつ適切に引き剥がすことができる。
また、付箋紙の引き剥がし動作と、捲り上げた付箋紙の下側に潜入する付箋紙束の押え動作とが関連性をもつため、付箋紙の適切な引剥しを円滑且つ確実に行うことができる。また、動力伝達機構により、単一の駆動源でこれら両機構を動作させているため、部品点数を削減してコストダウンを図ることができる。
【０００７】
この場合、束押え機構は、付箋紙束を幅方向に亘って押えることが、好ましい。
【０００８】
この構成によれば、押える面積を小さくしつつ、付箋紙束を有効に押えることができる。また、幅方向を均等な力で押え得るため、引き剥がしに伴う付箋紙束のねじれ等を好適に抑制することができる。
【０００９】
これらの場合、束押え機構は、付箋紙束の基端側を押えることが、好ましい。
【００１０】
この構成によれば、付箋紙束の糊付け部側を押えるため、引き剥がし時における付箋紙束の粘着力に対しての影響を軽減することができる。
【００１３】
この場合、束押え機構は、付箋紙束に接触してこれを押える押え部と、基端側を中心に回動自在に構成され、先端側に支持した押え部を付箋紙束を押える押圧位置と離間したホーム位置との間で移動させる回動アームとを有し、回動アームは、動力伝達機構から動力を入力して回動することが、好ましい。
【００１４】
この構成によれば、動力伝達機構を介して動力を入力する回動アームの一連の回動動作において、押え部がホーム位置と押圧位置との間を上下動して、付箋紙束への押えが適切に行われる。また、押え部は回動するため、簡単な構造で且つ干渉することなく、捲り上げた付箋紙の下側に潜入することができる。なお、押え部は、回動アームとは別体に形成された構造（すなわち別部材構成）でもよいし、回動アームに一体に形成された構造、すなわち回動アームの一部位でもよい。
【００１５】
この場合、押え部のホーム位置は、付箋紙束の先端から外側に外れた位置に設定されていることが、好ましい。
【００１６】
この構成によれば、ホーム位置の押え部は、付箋紙束に重複しない状態となる。これにより、付箋紙束廻りが煩雑化しないため、付箋紙ホルダに対する付箋紙束の交換性および押え部の取扱い性を向上することができる。また、付箋紙の捲り上げ動作を行う場合にも支障をきたすことがない。
【００１７】
これらの場合、押え部は、回動アームに支持された押え本体と、押え本体に揺動自在に支持されると共に、付箋紙束を押さえ込む押え込み動作において、回動アームの略接線方向に沿う傾斜姿勢から付箋紙束に対し平行な水平姿勢となるように揺動範囲が規制された押え補助部材と、を有していることが、好ましい。
【００１８】
この構成によれば、付箋紙束は、押え本体による押えと、この押え位置よりも糊付け部側を押え位置とする押え補助部材による押えと、がなされる。すなわち、押え部が押圧位置に達すると、押え本体が付箋紙束を積極的に押えると共に、押え補助部材が、付箋紙束の基端側に向かって差し込むように揺動して、水平姿勢状態で付箋紙束を押える。これにより、付箋紙の引き剥がし角度が小さくても、付箋紙束の糊付け部近傍を特に有効に押えることができ、また同時に、付箋紙の引剥し力を軽減することができる。なお、押え補助部材は、押え本体で揺動範囲を規制されることが好ましい。
【００１９】
同様に、セットされた付箋紙束の糊付け部を付箋紙の引き剥がしに抗するように上側から押えると共に、付箋紙の引き剥がしに伴う付箋紙束の先端側へのスライドを許容する押圧部材を更に備え、押え部は、ローラで構成されていることが、好ましい。
【００２０】
この構成によれば、捲り上げた付箋紙の引き剥がしでは、付箋紙束は、潜入した押え部によりその付箋紙を除いて押えられ且つその付箋紙を含んで糊付け部側を押圧部材により押えられた状態で、引剥し力により先端側へとスライド移動される。このスライド移動により、引き剥がす付箋紙の押圧部材からの押えが好適に解除されるため、引剥し抵抗を軽減することができる。またスライド移動の場合に、押え部であるローラが付箋紙束に転接するため、押え部の摩擦を軽減することができる。
【００２１】
また同様に、セットされた付箋紙束の糊付け部を付箋紙の引き剥がしに抗するように上側から押えると共に、付箋紙の引き剥がしに伴う付箋紙束の先端側へのスライドを許容する押圧部材を更に備え、押え部は、回動アームに支持された押え本体と、押え本体に揺動自在に支持された揺動アーム、および揺動アームに取り付けたローラから成る押え補助部材とで構成され、押え補助部材は、付箋紙束を押さえ込む押え込み動作において、回動アームの略接線方向に沿う傾斜姿勢から付箋紙束に対し平行な水平姿勢となるように揺動範囲が規制されていることが、好ましい。
【００２２】
この構成によれば、同様に、付箋紙束は、上側から押圧部材により糊付け部を押えられ且つ捲り上げた付箋紙の下側にて押え部により押え込まれており、この状態で、付箋紙を引き剥がしてゆくと、その引剥し力により先端側へとスライド移動される。このスライド移動により、引き剥がす付箋紙の押圧部材からの押えが好適に解除されるため、引剥し抵抗を軽減することができる。また、押え部による押え込みは、押え本体によるものと、揺動アームが揺動して糊付け部側へと差し込んだローラによるものとでなされるが、このローラの差込動作を円滑になすことができる。
【００２３】
これらの場合、引剥し機構は、付箋紙束に転接して付箋紙を一旦撓ませてからその上側に撥ね上げると共に、付箋紙束から離間し捲り上げた付箋紙を引き剥がすように送り出す摩擦ローラと、先端部に摩擦ローラを回転自在に支持すると共に、基端部を中心に回動自在に構成されたピックアップアームとを有し、ピックアップアームは、動力伝達機構から動力を入力して回動し、摩擦ローラを付箋紙束に対し離接移動させることが、好ましい。
【００２４】
この構成によれば、付箋紙束に対し摩擦ローラが回転すると、これが直接転接する最上位の付箋紙は、摩擦力により自由端側が糊付け部に引き戻されて、その中間部が次第に撓んでゆき、その後、その先端部が摩擦ローラの上側に撥ね上げられ、最終的にこれに乗り上げる。一方、動力伝達機構を介して動力を入力して回動するピックアップアームの一連の回動動作において、摩擦ローラ自身が上下動する。したがって、離間移動した摩擦ローラに乗り上げた付箋紙は、付箋紙束に対し大きく傾斜することとなり、糊付け部から一層引き剥がされやすくなる。また、既述のように、引き剥がしの際に付箋紙束を押えているため、摩擦ローラの引き剥がしのトルクを小さくすることができ、付箋紙の送り出しを安定して行うことができる。
なお、ピックアップアームは、摩擦ローラが付箋紙を撥ね上げる直前に、摩擦ローラを移動させることが、好ましい。
【００２５】
この場合、ピックアップアームと回動アームとは、同方向に回動することが、好ましい。
【００２６】
この構成によれば、付箋紙束廻りを煩雑にすることがなく、且つ動力伝達機構を簡単に構成することができる。
【００２７】
これらの場合、動力伝達機構は、駆動源から入力した動力により回転する回転円板と、回転円板の一方の端面に形成した端面カム溝と、回転円板の他方の端面に突設した偏心ピンとを有し、端面カム溝は、回転円板の回転動作を回動アームおよびピックアップアームの一方の回動動作に変換する端面カム機構を構成し、偏心ピンは、回転円板の回転動作を回動アームおよびピックアップアームの他方の回動動作に変換する反対カム機構を構成していることが、好ましい。
【００２８】
この構成によれば、２つのカム機構が１つの回転円板を介した構造であるため、双方のカム機構による一連の動作を一層関連付け易くなると共に、部品点数を減らして低コストとなる。
【００２９】
この場合、駆動源は、摩擦ローラを回転駆動させる動力源を兼ねており、摩擦ローラは、回転円板の周面に形成したギヤを含むギヤ列を介して回転することが、好ましい。
【００３０】
この構成によれば、摩擦ローラ、引剥し機構および束押え機構の駆動源が同一であるため、コストを一層削減することができる。また、摩擦ローラの上下動は、摩擦ローラが回転円板に噛合しつつ且つその周りを円運動するようにして、これらがいわゆる遊星歯車的構成となって行われる。
【００３１】
本発明の他の付箋紙供給装置は、基部側の糊付け部で部分糊付けした多数枚の付箋紙から成ると共に糊付け部を押えた状態で水平にセットされた付箋紙束に対し、最上位の付箋紙を斜め先上がりに捲り上げた後、斜め先方に引き出すように引き剥がして供給する付箋紙供給装置において、付箋紙束を水平にセットする付箋紙ホルダと、付箋紙の引き剥がしに抗するように糊付け部を上側から押える押圧部材とを備え、押圧部材は、糊付け部の基端側を押える押圧部と、押圧部から先方に延び付箋紙の斜め先上がりを非押圧状態で許容する非押圧部とを有することを特徴とする。
【００３２】
この構成によれば、押圧部材の非押圧部が、セットされた付箋紙束に対し、押圧部による押えポイントから先端側へと非接触状態で張り出して、付箋紙の斜め先上がりを許容している。したがって、斜め先上がり状態で先方に、すなわち鋭角方向に引き剥がされる付箋紙は、引き剥がしの角度を許容された状態で糊付け部分を押えられる。これにより、付箋紙を引き剥がしてゆくときに、付箋紙の付箋紙束に対する粘着性を次第に解除してゆくことができると共に、糊付け部の基端側を押えておくことができる。すなわち、引き剥がす付箋紙の押え面積を小さくしつつも、付箋紙束自体を確実に押えた状態とすることができるため、付箋紙束のセット状態を安定に維持し、且つ付箋紙を円滑に引き剥がしてゆくことができる。
【００３３】
この場合、非押圧部の下面は、斜め先上がりに傾斜していることが、好ましい。
【００３４】
この構成によれば、非押圧部の下面が、付箋紙の引き剥がしの角度に倣って傾斜している。これにより、その傾斜角度に沿って付箋紙を引き剥がしてゆくことができると共に、引き剥がしてゆく付箋紙の上面を案内することができる。
【００３５】
この場合、押圧部は、付箋紙の引き剥がしに伴う付箋紙束の非押圧部側へのスライドを許容することが、好ましい。
【００３６】
この構成によれば、付箋紙を引き剥がそうとすると、付箋紙束は、その引き剥がし力により先端側へとスライド移動する。これにより、押圧部による付箋紙束の押圧ポイントを、押圧状態を維持しながら糊付け部の基端側へと一層ずらすことができるため、粘着力の影響を一層小さくすることができる。なおこの場合、付箋紙ホルダは、略引剥し方向に付箋紙束をスライド自在にセットすると共に、付箋紙束の基部側の移動端位置を位置規制可能に構成され、且つ付箋紙束をその基部側に向かって付勢するばねを有することが好ましい。
【００３７】
本発明の他の付箋紙供給装置は、基部側の糊付け部で部分糊付けした多数枚の付箋紙から成ると共に糊付け部を押えた状態で水平にセットされた付箋紙束に対し、最上位の付箋紙を斜め先上がりに捲り上げた後、斜め先方に引き出すように引き剥がして供給する付箋紙供給装置において、付箋紙束を水平にセットする付箋紙ホルダと、付箋紙の引き剥がしに抗するように糊付け部を上側から押える押圧部材とを備え、押圧部材は、糊付け部の基端側を押える押圧部と、押圧部から先方に延び付箋紙の引き剥がしに伴って斜め先上がりに角度変化可能な引剥し許容部とを有することを特徴とする。
【００３８】
この構成によれば、付箋紙を引き剥がしてゆくと、その引き剥がし力により引剥し許容部が付箋紙束から上側に逃げると共に、押圧部が付箋紙束の押えを維持する。一方、引き剥がし後の定常状態では、引剥し許容部が下側に自動復帰して、付箋紙束は、引剥し許容部および押圧部により押えられる。このように、斜め先上がり状態での付箋紙の引き剥がしに応じて、適宜、押え面積を小さくし且つ引剥しの角度を許容している。これにより、付箋紙の付箋紙束に対する粘着性を次第に解除してゆくことができると共に、付箋紙束の基端を有効に押えておくことができるため、付箋紙束のセット状態を安定に維持し、且つ付箋紙を円滑に引き剥がしてゆくことができる。
【００３９】
この場合、押圧部は、付箋紙の引き剥がしに伴う付箋紙束の引剥し許容部へのスライドを許容することが、好ましい。
【００４０】
この構成によれば、上記同様に、付箋紙の引き剥がし時に、押圧部による付箋紙束の押圧ポイントを、押圧状態を維持しながら糊付け部の基端側へと一層ずらすことができるため、付箋紙がより引き出し易くなる。
【００４１】
これらの場合、押圧部材と付箋紙ホルダとが、一体に形成されていることが、好ましい。
【００４２】
この構成によれば、部品点数を減らした簡単な構造で、付箋紙の適切な引剥しに供することができる。
【００４５】
本発明の付箋紙プリンタは、上記した本発明の付箋紙供給装置と、付箋紙を印刷する印刷機構とを備えたことを特徴とする。
【００４６】
この構成によれば、付箋紙供給装置により一枚ずつ適切に引き剥がされる付箋紙を、或いは引き剥がされた付箋紙を、印刷に供することができる。すなわち、付箋紙への印刷の前後いずれにおいても、付箋紙を適切に引き剥がすことができる。
【００４７】
【発明の実施の形態】
以下、添付の図面を参照して、本発明の一実施形態に係る付箋紙供給装置およびこれを備えた付箋紙プリンタついて説明する。この付箋紙プリンタは、パーソナルコンピュータ（以下、パソコン）等と接続して、パソコン等で作成された文字、図形、Ｅメールの内容などの各種データを付箋紙に印刷するものである。具体的には、付箋紙プリンタは、多数枚の付箋紙を部分糊付けして成る付箋紙束をセットし、セットした付箋紙束から付箋紙を一枚ずつ捲り上げると共に糊付け部分から引き剥がしながら先方へ送り出してゆくと同時に、パソコン上の各種データを印刷して、印刷済み付箋紙を作成するものである。
【００４８】
図１は、付箋紙プリンタの外観を示す全体斜視図であり、図２は、付箋紙プリンタの装置ケースを省略して、内部の構造を示す斜視図である。両図に示すように、この付箋紙プリンタ１は、装置ケース２により外殻を形成したプリンタ本体３と、プリンタ本体３にセットした付箋紙束４とで構成されている。
【００４９】
付箋紙束４は、多数枚の合同形状の付箋紙４ａを、それらの同じ位置の裏面基端側の一部分を糊付けして積層したものである。付箋紙４ａは、付箋紙束４から一枚ずつ剥離可能に構成されていると共に、剥離後に、この基部側の糊付け部４ｂ（粘着剤）を介して、紙やファイルなどの被着体に対し再貼着可能に構成されている。
【００５０】
装置ケース２は、全体として小型であって且つマウス形に形成され、下面には付箋紙束４をケース内部に下方から導入するための付箋紙導入開口５と、前面中央には印刷済み付箋紙４ａをケース外部に送り出すための水平スリット状の付箋紙排出口６とが形成されている。また、装置ケース２には、外側の表面が装置ケース２の上面の一部を構成する開閉蓋７が取り付けられている。
【００５１】
開閉蓋７は、後端部に内蔵したヒンジにより、上下方向に開閉自在に構成され、その内側には図３に示すように、インクリボンＲを収容するリボンカートリッジ８が着脱自在に装着されている。この付箋紙プリンタ１は、付箋紙導入開口５から内部に導入した付箋紙束４から、最上位の付箋紙４ａを一枚ずつ捲り上げ、これを糊付け部４ｂから引き剥がしながら斜め上方へ送ると共に、これにインクリボンＲを介して印刷を行い、付箋紙排出口６から印刷面を上にした状態で排出する。
【００５２】
なお、付箋紙排出口６廻りの構造は、排出される印刷済み付箋紙４ａをここから落下させないように構成されている。これにより、印刷済み付箋紙４ａの落下による裏面糊付け部４ｂへのゴミ付着を防止することができ、またユーザは、糊付け部４ｂに触れることなく付箋紙４ａを先端側から把持して、付箋紙排出口６から取り出し、紙などの被着体に容易に貼り付けることができるようになっている。
【００５３】
装置ケース２の内部には、プリンタ本体３のプリンタフレーム１０が配設されており、プリンタフレーム１０には、上側に位置し付箋紙４ａに印刷を行うサーマルヘッド１３８を有する付箋紙印刷機構１１と、付箋紙印刷機構１１に対峙して下側に付箋紙束４をセットし、後述する摩擦ローラ５２の回転によりセットした付箋紙束４から付箋紙４ａを一枚ずつ捲り上げ且つ引き剥がすと共に、これを付箋紙印刷機構１１に送って付箋紙排出口６から排出する付箋紙供給機構１２と、が支持されている。
【００５４】
プリンタフレーム１０は、鉛直方向に延びる平板状のメインフレーム１４と、メインフレーム１４の下部に取り付けられ、平面視略「Ｃ」字状のサブフレーム１５と、で構成されている。メインフレーム１４には、付箋紙印刷機構１１および付箋紙供給機構１２の各構成部品が、主に片持ち支持されている。サブフレーム１５は、メインフレーム１４に平行に対面する連結板部１６と、連結板部１６の両端部をメインフレーム１４側に折り曲げて形成した一対の側板部１７とで構成され、側板部１７の先端部をメインフレーム１４と平行に内側に折り曲げた部分でメインフレーム１４に固定されている。なお、サブフレーム１５を装置ケース２で代用する構造としてもよい。
【００５５】
付箋紙供給機構１２は、下側に位置して付箋紙導入開口５に臨み付箋紙束４をセットする付箋紙ホルダ２１と、付箋紙ホルダ２１に臨んで摩擦ローラ５２を有し付箋紙４ａを捲り上げて引き剥がすように送り出す引剥し機構２２と、後述する押え部１１２により捲り上げた付箋紙４ａの下側に潜入して付箋紙束４を押える束押え機構２３と、引剥し機構２２および束押え機構２３を連動させる動力伝達機構とを備えている。
【００５６】
付箋紙ホルダ２１は、メインフレーム１４とサブフレーム１５とで囲まれた開口部に不動に支持され、付箋紙束４を着脱自在に保持する。図４の分解斜視図に示すように、付箋紙ホルダ２１は、付箋紙束４を水平に載置する方形のセットステージ３１と、セットステージ３１を上下方向にスライド自在に案内する四周枠状のホルダ本体３２と、付勢部材３４を介してセットステージ３１を下側から支持する蓋体３３とで構成されている。
【００５７】
蓋体３３は、外形がセットステージ３１と略同形状に形成され、その四辺には固定部３７が突出形成され、ホルダ本体３２の下側開口に嵌合可能に構成されている。すなわち、蓋体３３は、セットステージ３１および付勢部材３４を一体に支持して、これらをホルダ本体３２に挿入した後、固定部３７により、ホルダ本体３２の下面にねじ止め固定される（図５および図６参照）。また、この状態で付箋紙導入開口５を閉塞し、その下面は装置ケース２の下面と面一になる。なお、かかるねじ止め固定式に代えて、フック形式の閉蓋構造を執ることも可能である。
【００５８】
ホルダ本体３２は、付箋紙４ａの形状に対応して形成されており、その内面が付箋紙導入開口５に連通していて、蓋体３３を介して付箋紙束４およびセットステージ３１の導入（スライド）を案内する。また、ホルダ本体３２は、セットされた付箋紙束４の長手方向の前後を位置決めする。ホルダ本体３２の左右の両外側面には、４つの係合突起３８がそれぞれ形成され、これに対応してメインフレーム１４の下部およびサブフレーム１５の連結板部１６には、４つの係合孔３９が形成されている（図４参照）。これにより、付箋紙ホルダ２１がプリンタフレーム１０に固定されている。なお、同図では、メインフレーム１４側の係合孔３９は、前後方向に水平スリット状に延在している。
【００５９】
ホルダ本体３２の上側開口の前後には、付箋紙束４の前端部（先端側または自由端側）および後端部（基端側または糊付け部４ｂ側）を相対的に押える一対の位置規制部３５，３６が内向きに突設されている。すなわち、位置規制部３５，３６は、ホルダ本体３２の上端部の内側に突出してこれに一体に設けられ、セットステージ３１との間で付箋紙束４を水平姿勢で挟持するようにセットし、最上位の付箋紙４ａを水平に且つセット位置（定位置）に位置規制している。なお、一対の位置規制部３５，３６の一方は、装置ケース２に突設されていてもよい。
【００６０】
セットステージ３１には、その載置面に付箋紙束４のセット方向を示す矢印状の表示部４０が形成され、その矢先方向に付箋紙束４の自由端側が向くようにすることで、付箋紙束４が適切にセットされる。セットステージ３１は、幅の異なる複数種類の付箋紙束４をセット可能に構成されており、本実施形態では、図２ないし図４に示すように、最小幅の付箋紙束４がメインフレーム１４側に寄せてセットされている。なお、付箋紙束４のセットは、開閉蓋７を開放し、上方からセットステージ３１を受けとして一対の位置規制部３５，３６間に嵌め込むようにして行われる。もっとも、蓋体３３を取り外して行ってもよい。
【００６１】
付勢部材３４は、セットステージ３１と蓋体３３との間にあって、これらの四隅に配設した４つの（複数の）加圧ばね３４ａで構成されている。各加圧ばね３４ａの一方の端部は、セットステージ３１の下面部に係止され、各加圧ばね３４ａの他方の端部は、蓋体３３の上面部に係止されている（図５参照）。この４つの加圧ばね３４ａにより、蓋体３３を受けとしてセットステージ３１は、上方にバランス良く押圧付勢されている。
【００６２】
すなわち、セットステージ３１を介して付箋紙束４は、均等な力でセット位置（位置規制部３５，３６）に押し付けられている。したがって、付箋紙束４は、付箋紙４ａが一枚ずつ引き剥がされて目減りしても、その最上位に位置する付箋紙４ａの高さレベルは、常に定位置を維持される。なお、加圧ばね３４ａの個数はこれに限るものでなく、特に部品点数およびそのコスト削減を図る場合には、大きな２個の加圧ばねで構成すればよい。また、加圧ばね３４ａに代えたリンク機構により、セットステージ３１を水平に且つバランス良く押圧付勢するようにしてもよい。
【００６３】
次に、引剥し機構２２について、図４を中心に、図２および図７を適宜参照して説明する。引剥し機構２２は、駆動源となる駆動モータ５１と、最上位の付箋紙４ａに転接する上記の摩擦ローラ５２と、駆動モータ５１から摩擦ローラ５２に回転動力を伝達する減速ギヤ列５３と、摩擦ローラ５２を回転自在に支持しこれを上下動させるピックアップユニット５４と、を備えている。
【００６４】
駆動モータ５１は、整流子・ブラシ付きのＤＣモータで構成され、モータ収納ケース５６に保持されてメインフレーム１４の後上部に支持されている。駆動モータ５１の出力軸には、ウォームギヤ５７と、ウォームギヤ５７の先端側に位置してパルス円板５８とが固定されており、このパルス円板５８に臨んでモータ収納ケース５６の上部には、フォトインタラプタ５９が組み込まれている。フォトインタラプタ５９とパルス円板５８とでエンコーダが構成され、このエンコーダの検出するパルス信号に基づいて、サーマルヘッド１３８の発熱駆動を制御している。
【００６５】
摩擦ローラ５２は、上側から付箋紙束４の先端側に臨んでおり、両端部をピックアップユニット５４に両持ち支持されたローラ軸６１と、ローラ軸６１に回転自在に装着され付箋紙４ａに直接接触するローラ本体６２と、ローラ本体６２と一体回転するローラギヤ６３と、で構成されている。ローラ本体６２は、ローラ軸６１の一方の半部に寄せて配設され、ローラ軸６１に回転自在に装着した樹脂製のコア部６４と、コア部６４の外周面に巻装したゴムロール６５とで構成されている。
【００６６】
ゴムロール６５は、シリコンゴムなどの耐熱性を有する高摩擦材料で構成されている。これにより、摩擦ローラ５２は、付箋紙４ａに転接してこれを捲り上げる機能と、サーマルヘッド１３８と協働するプラテンローラの機能とを併有している。ローラギヤ６３は、ローラ本体６２のコア部６４に隣接し且つこれと一体に形成されており、摩擦ローラ５２は、ローラギヤ６３が減速ギヤ列５３を介して回転動力を伝達されることで、図２示において半時計周り方向に回転駆動する。
【００６７】
減速ギヤ列５３は、ウォームギヤ５７に噛合する小伝達ギヤ６６と（ウォームホイールと小平歯車）と、小伝達ギヤ６６に噛合する中伝達ギヤ６７と、中伝達ギヤ６７に噛合する大きな入力ギヤ６８（回転円板）とで構成され、これら各ギヤのピン軸は、メインフレーム１４に片持ちで固定されている。入力ギヤ６８には、摩擦ローラ５２のローラギヤ６３が噛み合っており、駆動モータ５１の動力は、ウォームギヤ５７、小伝達ギヤ６６、中伝達ギヤ６７、入力ギヤ６８の順で伝達され、ローラギヤ６３を介して摩擦ローラ５２を回転させる。
【００６８】
入力ギヤ６８は、図７に示すように、メインフレーム１４側の端面に形成した環状の端面カム溝７１と、サブフレーム１５側の端面に突設されその回転中心から外れた偏心ピン７２とを有している。詳細は後述するが、端面カム溝７１は、カムリンク部材８２のカム突起１０３との間で端面カム機構を構成して、摩擦ローラ５２を回動させ、一方、偏心ピン７２は、押圧カム部材１１３のカム溝１２３との間で反対カム機構を構成して、押え部１１２を回動させている。
【００６９】
ピックアップユニット５４は、先端部に摩擦ローラ５２を回転自在に両持ちで保持すると共に、基端部を中心に回動自在に構成された一対のピックアップアーム８０（８０ａ、８０ｂ）と、摩擦ローラ５２を逃げて一対のピックアップアーム８０の先端部を一体に連結する連結アーム８１と、メインフレーム１４側から入力ギヤ６８に重なるように配設されピックアップアーム８０を回動動作させるカムリンク部材８２と、で構成されている。
【００７０】
一対のピックアップアーム８０は、メインフレーム１４に回動自在に支持されたメインアーム８０ａと、サブフレーム１５に回動自在に支持されたサブアーム８０ｂとで構成されている。サブアーム８０ｂは、基端部をサブフレーム１５の連結板部１６の上端軸部８７に回動自在に軸支され、メインアーム８０ａは、基端部を入力ギヤ６８のピン軸８８を介してメインフレーム１４に回動自在に軸支されている。
【００７１】
すなわち、メインアーム８０ａは、入力ギヤ６８を軸支する共有のピン軸８８に基端部を軸支されている。このピン軸８８と上端軸部８７とは、摩擦ローラ５２およびサーマルヘッド１３８に平行に且つ同一直線上に配設され、メインアーム８０ａ、サブアーム８０ｂおよび連結アーム８１は、略逆「Ｕ」字状をなしている。
【００７２】
メインアーム８０ａおよびサブアーム８０ｂには、摩擦ローラ５２のローラ軸６１の両端部を支持する先端部に、上下方向（回動方向）に僅かに長孔状の軸受部９１が形成されていると共に（図８参照）、各アームとローラ軸６１との間には、ローラ軸６１（摩擦ローラ５２）を上方に付勢する支持ばね（図示省略）が介設されている。これにより、摩擦ローラ５２は、ピックアップアーム８０に対し相対的に僅かに移動自在に支持されることとなり、サーマルヘッド１３８を突当て方向に弾性的に押圧することができるようになっている。また、メインアーム８０ａには、延在方向の中間部から係合ピン９５が外側（メインフレーム１４側）に突出しており、この係合ピン９５がカムリンク部材８２のアーム係合部１０２に係合している（図７（ｂ）参照）。
【００７３】
カムリンク部材８２は、メインアーム８０ａの基端側を入力ギヤ６８との間で挟み込むようにして配設され、主要部をなすドーナツ状のリンク本体１０１と、リンク本体１０１に貫通形成した長穴のアーム係合部１０２と、リンク本体１０１の前面側に突設して入力ギヤ６８の端面カム溝７１に係合するカム突起１０３とを有している。リンク本体１０１は、中央部に貫通形成した本体挿通穴１０５に、入力ギヤ６８（およびメインアーム８０ａ）のピン軸８８が十分な遊びをもって挿通され、図４示の右下端部をメインフレーム１４に突設した回動支軸１０６に軸支されている。
【００７４】
アーム係合部１０２には、メインアーム８０ａの係合ピン９５が摺動自在に係合しており、リンク本体１０１が回動支軸１０６を中心に回動すると、アーム係合部１０２内を係合ピン９５が相対的に微小移動し、メインアーム８０ａへの力の伝達が行われるようになっている。メインアーム８０ａへ力が伝達されると、連結アーム８１を介してサブアーム８０ｂが追従して、メインアーム８０ａと同方向に回動する。すなわち、メインアーム８０ａが、ピン軸８８を支点とし且つ係合ピン９５を力点として回動動作すると、摩擦ローラ５２が、水平姿勢を保って回動動作、すなわち上下動することとなる。
【００７５】
このとき、摩擦ローラ５２は、ローラギヤ６３と入力ギヤ６８との噛合状態を維持する駆動回転状態のまま移動することとなる。すなわち、摩擦ローラ５２は、ローラギヤ６３が入力ギヤ６８に対し衛星歯車的に機能（入力ギヤ６８が太陽ギヤに、ローラギヤ６３が衛星ギヤに、メインアーム８０ａがキャリアに対応）して、入力ギヤ６８のピン軸８８を中心として、駆動回転を維持しながら略上下方向に円運動することとなる（但し、衛星ギヤとして幾分減速される）。そして、摩擦ローラ５２の円運動は、カム突起１０３および端面カム溝７１から構成される端面カム機構により、往復（循環）の回動動作となるように規制されている。
【００７６】
カム突起１０３は、端面カム溝７１内を摺動可能に構成されたカムフォロアであり、この端面カム機構が、入力ギヤ６８の回転動作をメインアーム８０ａの回動動作に変換している。すなわち、端面カム機構は、カムリンク部材８２に対し、リンク本体１０１の右下端部（回動支軸１０６）を支点として、カム突起１０３に力点を構成させると共にアーム係合部１０２に作用点を構成させて、入力ギヤ６８の回転力をカムリンク部材８２を介してメインアーム８０ａの回動動作に変換して伝達している。
【００７７】
この場合、端面カム溝７１のカム曲線（プロファイル構成）は、付箋紙束４のセット空間を構成するべく、摩擦ローラ５２のホーム位置を付箋紙束４から上方に僅かに離間した位置に設定している。そして、このカム曲線は、摩擦ローラ５２をホーム位置から下動させて付箋紙束４に転接させると共に、上動させてサーマルヘッド１３８との間での印刷に供させ、印刷後に下動させてホーム位置に復帰させるとする、一連の動作となるように構成されている。すなわち、摩擦ローラ５２が、ホーム位置と、付箋紙束４上の最上位の付箋紙４ａの表面に転接する下動端位置である転接位置と、付箋紙束４から離間しサーマルヘッド１３８に当接する上動端位置である印刷位置との間を、循環移動するように構成されている。
【００７８】
したがって、端面カム溝７１は、摩擦ローラ５２に対し、ホーム位置に臨ませるホーム溝部と、転接位置における動作を行わせる転接溝部と、印刷位置における動作を行わせる印刷溝部と、これらをそれぞれ結ぶ３つの移動溝部とで環状に連続させて形成されている。なお、図示では、各溝部の符号はいずれも省略している。
【００７９】
これにより、端面カム機構は、図８に示すように、カム突起１０３が転接溝部内を相対的に摺動するときには、アーム係合部１０２の内側方向に係合ピン９５を引き付けて、摩擦ローラ５２を転接位置に臨ませる（同図（ａ）参照）。一方、カム突起１０３が、印刷溝部内を相対的に摺動するときには、アーム係合部１０２の外側方向に係合ピン９５を引き付けて、摩擦ローラ５２を印刷位置に臨ませる（同図（ｂ）参照）。また、カム突起１０３が各移動溝部内を相対的に摺動するときには、摩擦ローラ５２に対し、ホーム位置から転接位置への移動、転接位置から印刷位置への移動、印刷位置からホーム位置への移動を行わせている。
【００８０】
このように、端面カム溝７１を有する入力ギヤ６８の一回転で、メインアーム８０ａに一の往復回動動作を行わせ、摩擦ローラ５２に一連の上下方向の循環運動を行わせ、摩擦ローラ５２による、付箋紙４ａの捲り上げ、引き剥がし、印刷、および排出が行われている。
【００８１】
より具体的には図１３に示すように、端面カム機構により、摩擦ローラ５２は、転接位置に移動してここで捲り上げ動作を開始し、続く印刷位置への上動時に捲り上げを終了し、印刷位置において付箋紙４ａをサーマルヘッド１３８に押し付けると同時に印刷送りする。なお、印刷位置に上動したローラギヤ６３を介して、後述するリボン巻取機構１３９に動力が入力され、摩擦ローラ５２とサーマルヘッド１３８との間に挟まれた付箋紙４ａおよびインクリボンＲは、印刷のために併走する。
【００８２】
また、詳細は後述するが、移動溝部により、摩擦ローラ５２を付箋紙４ａに対して離間移動させるタイミング、および摩擦ローラ５２をホーム位置に復帰させるタイミングが、巧みに保たれて形成され、特に、転接溝部および印刷溝部間の移動溝部においては、摩擦ローラ５２の離間移動により跳ね上げのための回転が相殺されるのを防止するために、摩擦ローラ５２の上動が、一旦停止（待機）してなされるように構成されている。そして、摩擦ローラ５２のこのような一連の動作に連動して、付箋紙４ａの重ね引き剥がしを防止するように束押え機構２３が動作するようになっている。
【００８３】
束押え機構２３について、図４を中心として、図２および図７を適宜参照して説明する。束押え機構２３は、基端側を中心に回動自在に構成された一対の回動アーム１１１（１１１ａ，１１１ｂ）と、一対の回動アーム１１１の先端側でこれらに支持されると共に捲り上げた付箋紙４ａの下側に潜入して付箋紙束４を押える押え部１１２と、サブフレーム１５側から入力ギヤ６８に重なるように配設され回動アーム１１１を回動動作させる押圧カム部材１１３と、を有している。押え部１１２は、一対の回動アーム１１１の先端部を一体に連結支持する押え本体１１５と、押え本体１１５に揺動自在に両持ち支持された別体の押え補助部材１１０とで構成されている。
【００８４】
この場合、押え部１１２は、一対の回動アーム１１１により、付箋紙束４に接触してこれを押圧する押圧位置と、付箋紙束４の先端から外側に外れて離間し且つ摩擦ローラ５２のホーム位置より先端方向に外れたホーム位置と、の間を往復移動される（図９参照）。また、押え部１１２による付箋紙束４への押えは、押え補助部材１１０を従として、押え本体１１５により積極的になされるようになっている。
【００８５】
一対の回動アーム１１１は、メインフレーム１４に回動自在に支持された主アーム１１１ａと、サブフレーム１５に回動自在に支持された副アーム１１１ｂとで構成され、各アーム１１１ａ、１１１ｂはいずれも、アーム本体１６１と、アーム本体１６１から屈曲して延びる先端部のアーム延在部１６２とで構成されている。副アーム１１１ｂは、アーム本体１６１の基端部をサブフレーム１５の連結板部１６の前下部に回動自在に軸支され、主アーム１１１ａは、アーム本体１６１の基端部をメインフレーム１４に突設したピン（図示省略）を介してメインフレーム１４に回動自在に軸支されている。
【００８６】
そして、主アーム１１１ａおよび副アーム１１１ｂの軸支点は、摩擦ローラ５２等に平行に且つ同一直線上に配置され、主アーム１１１ａ、副アーム１１１ｂおよび押え本体１１５からなる押え側アーム部は、図２に示すように、一対のピックアップアーム８０および連結アーム８１から成る引剥し側アーム部から外側に逃げて（先端側に位置ずれして）、略逆「Ｕ」字状をなしている。また、主アーム１１１ａおよび副アーム１１１ｂのアーム延在部１６２が、押え本体１１５に一体に連続している。
【００８７】
押え本体１１５は、両アーム延在部１６２の間に亘って延在し且つこれらを連結する連結アーム部１６４と、連結アーム部１６４の中間部に位置する直方体形状の押えブロック部１６５と、連結アーム部１６４の両端部に位置して押えブロック部１６５に所定の間隙を存して臨む一対の支持部１６６と、で一体に構成されている。
【００８８】
押えブロック部１６５は、その上面が連結アーム部１６４および支持部１６６の上面と面一になり、この上面に連なる摩擦ローラ５２側の後面が、支持部１６６の正面視略「Ｌ」字状の後面に面一になって、押え補助部材１１０とともに付箋紙束４を押圧する平坦な押圧面１１６を構成している。押えブロック部１６５に臨む一対の支持部１６６の先端には、押え補助部材１１０を揺動自在に支持する一対の支持ピン１１４が内向きに（間隙に向かって）突設されている。
【００８９】
押え補助部材１１０は、各基端部を一対の支持ピン１１４に揺動自在に支持された一対の揺動アーム１１７と、一対の揺動アーム１１７の先端部を一体に連結する押圧片部１１８とで構成され、押圧片部１１８が付箋紙束４に接触してこれを押圧する。この場合、押え補助部材１１０は、揺動アーム１１７と押え本体１１５との関わり合いにより、押圧片部１１８が後側（付箋紙束４の基端側）へとやや傾斜した傾斜姿勢と、傾斜姿勢から上方に回動して付箋紙束４に対し平行な水平姿勢との間で、回動範囲が規制されている。
【００９０】
押え補助部材１１０の傾斜姿勢は、より厳密には、押え補助部材１１０が押圧位置に移動して押圧片部１１８が付箋紙束４に接触するときの、回動アーム１１１の略接線方向に沿ったものである。したがって、回動アーム１１１の回動により、ホーム位置から押圧位置に移動した押え補助部材１１０は、先ず、傾斜姿勢の状態で押圧片部１１８が付箋紙束４に当接し、続いて、揺動アーム１１７の前部が付箋紙束４に当接するように下動して水平姿勢となる（図９参照）。
【００９１】
いいかえれば、押圧位置を除くホーム位置等における押え補助部材１１０は、図２示時計回り方向への回動を、揺動アーム１１７の基端側の前端部が連結アーム部１６４の後面に当接することで回動規制されて、傾斜姿勢となる。一方、押圧位置における押え補助部材１１０は、図２示反時計回り方向への回動を、揺動アーム１１７の基端側の後端部に上向きに突設した規制部位１１８ａが、連結アーム部１６４の上面に当接することで回動規制され、付箋紙束４に平行な水平姿勢となる。
【００９２】
したがって、押え補助部材１１０の付箋紙束４を押さえ込む押え込み動作においては、押圧片部１１８が付箋紙束４の糊付け部４ｂに向かって差し込むように回動してゆき、付箋紙束４を下方に押さえ込むこととなる。また同時に、付箋紙束４は、押えブロック部１１５の押圧面１１６により下方に押さえ込まれることとなる。このように、付箋紙束４は、押えブロック部１１５により積極的に押えられると共に、押え補助部材１１０により糊付け部４ｂの近傍を押えられる。これにより、付箋紙４ａの引き剥がし角度が小さくても、付箋紙束４の糊付け部４ｂ近傍を特に有効に押えることができ、また同時に、付箋紙４ａの引剥し力を軽減することができる。
【００９３】
そして、押え部１１２の往復動は、すなわち回動アーム１１１の回動動作は、主アーム１１１ａのアーム本体１６１の中間部に貫通形成した長穴の押え側アーム係合部１１９内を、押圧カム部材１１３の押え側係合ピン１２２が摺動することで行われている。
【００９４】
押圧カム部材１１３は、主要部をなすカム本体１２１と、カム本体１２１からサブフレーム１５側に突設した押え側係合ピン１２２と、カム本体１２１の正面中央部を刳り貫いて形成したカム溝１２３と、カム本体１２１の下端部をメインフレーム１４側に折り曲げたスライド部１２４とを有し、前後方向にスライド移動自在に構成されている。スライド部１２４は、入力ギヤ６８の下側を跨いで延在すると共に、その先端部がメインフレーム１４のガイド溝（図示省略）に摺動自在に係合している。これにより、メインフレーム１４に支持されたカム本体１２１は、付箋紙束４に対し平行にスライド移動するのを案内される。
【００９５】
押え側係合ピン１２２は、カム本体１２１から主アーム１１１ａ側に延設した腕部１２６の先端に突設されており、主アーム１１１ａの押え側アーム係合部１１９に摺動自在に係合している。これにより、カム本体１２１がスライド移動すると、押え側係合ピン１２２が押え側アーム係合部１１９内を相対的に微小移動し、主アーム１１１ａへの力の伝達が行われる。そして、主アーム１１１ａへ力が伝達されると、押え本体１１５の連結アーム部１６４を介して副アーム１１１ｂが追従して、主アーム１１１ａと同方向に回動し、押え部１１２の往復動が行われることとなる。
【００９６】
カム溝１２３は、カム本体１２１の中央部を鉛直方向に長く貫通して形成されており、入力ギヤ６８の偏心ピン７２がカム溝１２３に沿って摺動可能に係合している。すなわち、カム溝１２３および偏心ピン７２から上記の反対カム機構が構成され、偏心ピン７２がカム溝１２３に沿って摺動するカムフォロアとなり、入力ギヤ６８の回転動作を主アーム１１１ａの回動動作に変換している。すなわち、反対カム機構は、入力ギヤ６８の回転力を押圧カム部材１１３を介して、主アーム１１１ａの回動動作に変換して伝達している。
【００９７】
この場合、カム溝１２３のカム曲線は（プロファイル構成）は、押え部１１２がホーム位置と押圧位置との間を往復動するように構成されており、カム溝１２３は、図９に示すように、鉛直方向の両端側に形成した上溝部１３０および下溝部１３１と、上溝部１３０および下溝部１３１を結ぶ押え側係合ピン１２２側の非伝達溝部１３２と、非伝達溝部１３２に対向する押圧溝部１３３とで、略環状に連続させて形成されている。
【００９８】
したがって、反対カム機構は、同図（ａ）に示すように、下溝部１３１に係合する偏心ピン７２が図示左下端部に位置するときには、押え部１１２をホーム位置に臨ませた状態とする。また、偏心ピン７２は、下溝部１３１から外れて上溝部１３０に係合するまでの非伝達溝部１３２での摺動においても、押え部１１２をホーム位置に臨ませた状態とする。偏心ピン７２が上溝部１３０に係合すると、偏心ピン７２は、その係合状態を維持しながら押圧カム部材１１３を右側にスライド移動させ、押え部１１２を押圧位置に向かって移動させる（同図（ｂ）参照）。
【００９９】
押圧溝部１３３を摺動する偏心ピン７２は、押圧カム部材１１３をさらに右側に引き付けて、押え部１１２を押圧位置に臨ませ且つ押圧位置下方へと臨ませるようにする。これにより、付箋紙束４を一層押えている。そして、偏心ピン７２は、同図右下端部の位置で、押圧溝部１３３から外れて下溝部１３１に移行し、続いて、下溝部１３１に係合状態を維持しながら押圧カム部材１１３をもとの左側にスライド移動させ、押え部１１２をホーム位置に臨ませる。
【０１００】
このように、偏心ピン７２を有する入力ギヤ６８の一回転で、主アーム１１１ａに一の往復回動動作を行わせ、押え部１１２にホーム位置と押圧位置との間での一の往復動を行わせている。詳細は後述するが、このカム溝１２３により、押え部１１２を押圧位置から復帰させるタイミング、すなわち押え部１１２を付箋紙束４から離間させるタイミング、および押え部１１２をホーム位置から移動させるタイミングが、摩擦ローラ５２の一連の動作のタイミングと巧みに調整されている。
【０１０１】
なお、上溝部１３０および下溝部１３１は、偏心ピン７２が入力ギヤ６８の最上位置および最下位置に達したときを考慮した逃げ溝が一体に設けられている。これにより、押圧カム部材１１３のスライド移動が円滑になされるようになっている。また、上溝部１３０と押圧溝部１３３との間の内側に段状に突出した部分において、押え補助部材１１０を下側に押し込むように作用させ、このときに、押え補助部材１１０を水平姿勢へと回動させるようにしている。
【０１０２】
また、上述のように、引剥し機構２２および束押え機構２３を連動させている動力伝達機構は、単一の駆動モータ５１からの動力を引剥し機構２２および束押え機構２３にそれぞれ伝達しているものである。具体的には、動力伝達機構は、減速ギヤ列５３と、入力ギヤ６８の両端面が構成する端面カム機構および反対カム機構とからなり、駆動モータ５１からの動力を引剥し機構２２および束押え機構２３に分岐して伝達している。
【０１０３】
次に、付箋紙印刷機構１１について、図２ないし図５を参照して説明する。付箋紙印刷機構１１は、これらの図に示すように、メインフレーム１４に固定した部分フレーム１３７と、部分フレーム１３７に一体的に設けたサーマルヘッド１３８と、リボンカートリッジ８のインクリボンＲを巻き取るリボン巻取機構１３９と、を有している。
【０１０４】
サーマルヘッド１３８は、発熱素子を列設したヘッド本体１４０（図５参照）と、ヘッド本体１４０を支持するヘッドホルダ１４１とで構成され、ヘッドホルダ１４１は、部分フレーム１３７を水平に折り曲げることで形成されている。なお、発熱素子の列設長さは、最小幅或いは最大幅の付箋紙４ａに対応させることが好ましい。実施形態のように最小幅とした場合には、最大幅の付箋紙４ａの非印刷部分は、手書き用のスペース（余白）となる。
【０１０５】
部分フレーム１３７には、サーマルヘッド１３８に近接し且つこれと平行にガイドローラ１４２が取り付けられている。ガイドローラ１４２は、部分フレーム１３７に片持ちで支持固定されたガイドローラ軸１４３と、ガイドローラ軸１４３に自由回転可能に軸支されたガイドローラ本体１４４とで構成されている。ガイドローラ１４２は、印刷位置に上動した摩擦ローラ５２の回転を受けて従動回転し、摩擦ローラ５２との間で付箋紙４ａを挟んで回転送りする。
【０１０６】
部分フレーム１３７は、一対の脚片１４５を介してメインフレーム１４に固定されており、この両脚片１４５間の間隙に臨むように部分フレーム１３７には、円形の嵌合孔１４６が貫通形成されている。そして、両脚片１４５間にリボン巻取機構１３９の主用部が内包され、且つこの嵌合孔１４６から、リボン巻取機構１３９のリボン巻取軸１５０がサーマルヘッド１３８に平行に突出している。
【０１０７】
リボン巻取機構１３９は、リボンカートリッジ８のリボン巻取リール１５９に係合するリボン巻取軸１５０と、リボン巻取軸１５０に基部に一体に固着したリボン巻取ギヤ１５１と、リボン巻取軸１５０およびリボン巻取ギヤ１５１を回転自在に支持する第１ピン軸１５２と、リボン巻取ギヤ１５１に噛み合う巻取中間ギヤ１５３と、巻取中間ギヤ１５３を回転自在に支持する第２ピン軸１５４と、を備えている。
【０１０８】
第１ピン軸１５２および第２ピン軸１５４は、相互並行に且つ片持ちでメインフレーム１４に固定されている。巻取中間ギヤ１５３は、リボン巻取ギヤ１５１に噛み合う小ギヤ１５５と、摩擦ローラ５２のローラギヤ６３に噛み合う大ギヤ１５６と、で一体に形成されている。上述のように、リボン巻取機構１３９への動力は、印刷位置に上動した摩擦ローラ５２のローラギヤ６３から入力し、インクリボンＲの巻き取りが行われる。
【０１０９】
リボンカートリッジ８は、平面視略長円形に形成された２分割構造のカートリッジケース１５７により外郭を形成されている。カートリッジケース１５７の内部には、図１３に示すように、インクリボンＲを繰り出し自在に巻回したリボン繰出リール１５８と、インクリボンＲを巻き取るリボン巻取リール１５９とが回転自在に収容されている。リボン繰出リール１５８は、自由回転可能に構成され、リボン巻取リール１５９は、リボン巻取軸１５０に係合して駆動回転し、リボン繰出リール１５８から繰り出したインクリボンＲを巻取走行させる。
【０１１０】
リボン繰出リール１５８とリボン巻取リール１５９との間のカートリッジケース１５７の下面には、付箋紙ホルダ２１の開口に対峙すると共に、サーマルヘッド１３８が臨むヘッド開口が形成されている（図示省略）。インクリボンＲは、リボン繰出リール１５８から繰り出され、サーマルヘッド１３８の下側を迂回するようにして一旦ヘッド開口に臨み、サーマルヘッド１３８の位置で付箋紙４ａと重なって併走した後、リボン巻取リール１５９に巻き取られる。すなわち、摩擦ローラ５２とサーマルヘッド１３８との間で、付箋紙４ａとインクリボンＲとを挟み込み、これらを同方向に送りつつ発熱素子の発熱駆動により付箋紙４ａに印刷が行われる。
【０１１１】
次に、付箋紙プリンタ１とパソコンＰＣとからなる付箋紙印刷システムについて、図１０ないし図１２を参照して説明する。パソコンＰＣは、データを入力可能なキーボード１７０と、キーボード１７０により入力されたデータを表示するモニター１７１と、モニター１７１に表示されたデータを指定・選択するマウス１７２とを備えており、ＣＤ−ＲＯＭ１７３等の外部記録媒体を挿入可能に構成されている。
【０１１２】
そして、ＵＳＢあるいはケーブルで入出力端子間をパソコンＰＣと接続した付箋紙プリンタ１は、パソコンＰＣでモニター１７１を参照しながらキーボード１７０で入力・編集して作成する印刷データに対し、あるいはインターネット情報やＥメールの内容等の既存の作成済み印刷データに対し、マウス１７２により印刷領域を指定・選択して、印刷指令を出すことで、指定・選択した印刷データ１８６を付箋紙４ａに印刷し、印刷済み付箋紙４ａを作成する。
【０１１３】
パソコンＰＣの主制御部は、図１１に示すように、各種の制御を行うＣＰＵ１８０と、ＲＯＭ１８１と、ＲＡＭ１８２と、外部記録媒体としてのＣＤ−ＲＯＭ１７３と、Ｐ−ＣＯＮ１８３とを備えており、これらは互いにバス１８４を介して接続されている。ＲＯＭ１８１は、ＣＰＵ１８０で処理する制御プログラムや制御データを記憶する領域を有している。ＲＡＭ１８２は、制御処理のための各種作業領域として使用される。また、ＣＤ−ＲＯＭ１７３には、付箋紙プリンタ１に関するアプリケーションソフトやデバイスドライバ等の各種データが記憶されている。
【０１１４】
Ｐ−ＣＯＮ１８３には、ＣＰＵ１８０の機能を補うと共に周辺回路との信号を取り扱うための論理回路が組み込まれており、キーボード１７０、モニター１７１、およびマウス１７２などがドライバを介して接続され、さらに付箋紙プリンタ１が接続されている。付箋紙プリンタ１との関係において、ＣＰＵ１８０は、ＣＤ−ＲＯＭ１７３内の付箋紙印刷のためのプログラムに従って、Ｐ−ＣＯＮ１８３を介して各種検出信号、各種指令、各種データ等を入力し、ＲＯＭ１８１およびＲＡＭ１８２内の各種データ等を処理し、Ｐ−ＣＯＮ１８３を介して付箋紙プリンタ１に制御信号を出力する。すなわち、このパソコンＰＣからの制御信号により、付箋紙プリンタ１では、サーマルヘッド１３８および駆動モータ５１が制御される。
【０１１５】
この付箋紙プリンタ１をユーザがパソコンＰＣと通信接続して使用する場合、先ず、付箋紙プリンタ１とパソコンＰＣとをＵＳＢ等で相互に接続する。次に、セットステージ３１のセット方向の表示に従って、付箋紙束４をセットステージ３１に載せ、付箋紙ホルダ２１のセット位置にセットする。
【０１１６】
また、これに相前後して、開閉蓋７を開閉操作して、リボンカートリッジ８を装着する。このとき、リボンカートリッジ８のヘッド開口をサーマルヘッド１３８に案内して、リボンカートリッジ８を装着すると、ヘッド開口から幾分弛みをもって引き出しておいたインクリボンＲがサーマルヘッド１３８の下側に位置し、且つリボン巻取リール１５９がリボン巻取軸１５０に係合する。これにより、付箋紙プリンタ１は、印刷待機状態となる。
【０１１７】
この状態で、パソコンＰＣを操作して、所望の印刷データを作成・選択し、印刷実行を指令する。例えば、図１２に示すように、モニター１７１の画面上に表示されたテキスト１８６ａあるいはオブジェクト１８６ｂからなる印刷データ１８６のうち印刷したい必要な領域を、マウス１７２により選定すると共に、これをドラッグしてモニター１７１の画面上に予め設定したアイコン１８７にドロップする。すると、付箋紙４ａへの印刷が指示され、付箋紙４ａに熱転写による印刷が行われ、所望の印刷済み付箋紙４ａが付箋紙排出口６から排出される。なお、パソコンＰＣでは、付箋紙プリンタ１におけるリボンカートリッジ８の有無、付箋紙束４の有無および種類の検出結果をモニター１７１で確認できるようになっている。
【０１１８】
ここで、図１３を参照して、摩擦ローラ５２および押え部１１２の一連の動作について簡単に説明する。同図（ａ）に示すように、印刷待機状態において、摩擦ローラ５２は、付箋紙束４から上方に離間したホーム位置に位置し、また押え部１１２は、付箋紙束４からその先端側方向に外れたホーム位置に位置している。駆動モータ５１の駆動回転により、摩擦ローラ５２は、回転しながらホーム位置から転接位置へと移行し、付箋紙束４の最上位の付箋紙４ａの表面に接触して、付箋紙捲り上げ動作を開始する（同図（ｂ）参照）。摩擦ローラ５２が回転すると、最上位の付箋紙４ａ（の自由端側）のみ、先端側の位置規制部３５から引き出され、その長手方向の中間部が次第に上方へと湾曲するように撓んでゆく。
【０１１９】
そして、捲り上がってゆく付箋紙４ａの先端が摩擦ローラ５２の下側を通過した直後に、摩擦ローラ５２を回転させながら上動させ、付箋紙束４から離間させると、付箋紙４ａは、摩擦ローラ５２の回転力により、その上側に撥ね上げられ、摩擦ローラ５２に乗り上げる（同図（ｃ）および（ｄ）参照）。すなわち、付箋紙４ａは、一旦撓んでから先端から撥ね上げられ、その先端部が摩擦ローラ５２の上側に回り込んでこれに載ることとなる。
【０１２０】
この捲り上げ動作の際に、同図（ｃ）に示すように、摩擦ローラ５２が最上位の付箋紙４ａにのみしか転接しないように、付箋紙４ａの先端を撥ね上げる直前に、摩擦ローラ５２を移動させるようにしている。より厳密には、撓んでゆく付箋紙４ａの先端が摩擦ローラ５２の下側を通過し、且つ摩擦ローラ５２の下部接点Ｐ１が次の付箋紙に接触する前に、摩擦ローラ５２を上動させている。このような摩擦ローラ５２の移動タイミングを端面カム機構で調整しているため、付箋紙４ａを捲り上げると同時にその直下の付箋紙４ａをも重ねて捲ることがないようになっている。
【０１２１】
そして、同図（ｄ）に示すように、摩擦ローラ５２の上動は、付箋紙束４から僅かに離間した待機位置で一旦停止すると共に、回転が維持される摩擦ローラ５２は、この待機位置で付箋紙４ａを先端から撥ね上げて、その先端部を載せている。すなわち、付箋紙４ａは、待機位置での摩擦ローラ５２の回転により、摩擦ローラ５２の上側に乗り上げられることで斜め先上がり状態になった後、次のタイミングで、印刷位置に向かって上動する摩擦ローラ５２により、大きな角度で傾斜してゆくこととなる（同図（ｅ）参照）。
【０１２２】
なお、付箋紙４ａの性状および／または摩擦ローラ５２の摩擦特性によっては、撓んでゆく付箋紙４ａの先端部が摩擦ローラ５２の周面につかえた直後に、摩擦ローラ５２を離間移動させるようにしてもよい。この移動タイミングでも、付箋紙４ａの先端部が摩擦ローラ５２の周面に引っかかる結果、摩擦ローラ５２の回転により、付箋紙４ａが先端側から撥ね上がるため、付箋紙４ａを１枚ずつ適切に捲り上げることができる。
【０１２３】
付箋紙４ａを載せた摩擦ローラ５２が、待機位置から印刷位置に上動（自転および公転しながら上動）してゆく際に、ホーム位置に待機していた押え部１１２が、押圧位置へとゆっくりと移動を開始してゆく（同図（ｆ）参照）。押え部１１２は、上動する摩擦ローラ５２を回避するように、摩擦ローラ５２の下側を通過し、捲り上がって傾斜した付箋紙４ａの下側に潜入してゆく（同図（ｇ）参照）。そして、摩擦ローラ５２が印刷位置に達する直前に、押え部１１２は、押圧位置に移動し、回動して糊付け部４ｂ側へと差し込んだ押圧補助部材１１０（の押圧片部１１８）が押えブロック部１１５と共に付箋紙束４の基端側を押える（同図（ｈ）参照）。
【０１２４】
押え部１１２の移動完了に続いて、摩擦ローラ５２は、サーマルヘッド１３８およびガイドローラ１４２との間に付箋紙４ａを挟持するようにこれらに接触する。このとき、ローラギヤ６３を介して付箋紙印刷機構１１に動力が入力される（同図（ｉ）参照）。そして、押え補助部材１１０が、押えブロック部１１５と共に付箋紙束４を下方に押圧した状態で、摩擦ローラ５２は、付箋紙束４に対し鋭角方向に大きく傾斜した付箋紙４ａを、その糊付け部４ｂから引き剥がすように斜め先方に送り出してゆくと同時に、適宜発熱駆動するサーマルヘッド１３８と協働して、インクリボンＲのインクが熱転写して付箋紙４ａに印刷が行われる。
【０１２５】
したがって、付箋紙４ａが糊付け部４ｂから引き剥がされて尾端側の位置規制部３６から引き出されるときには、一対の位置規制部３５，３６で付箋紙束４を位置規制し且つ押え部１１２で付箋紙束４の基端側を上方から押圧した状態となる。これにより、付箋紙束４を安定にセットしておいた状態で且つ付箋紙４ａを一枚ずつ引き剥がすことができる。なお、付箋紙４ａが糊付け部分４ｂから引き剥がされるときには、付箋紙束４の尾端側は位置規制部３６から幾分引き出されるが、引き剥がしが完了すると元の位置に復帰する。
【０１２６】
印刷途中で完全に引き剥がされた付箋紙４ａは、さらに摩擦ローラ５２およびガイドローラ１４２により、その印刷済み部分から付箋紙排出口６に向かって送り出されてゆく（同図（ｊ）参照）。そして、付箋紙４ａへの印刷完了に先立ち、押え部１１２は、付箋紙束４から離間してこの押圧状態を解除し、印刷位置の摩擦ローラ５２の下側を回避するように通過して、ホーム位置に向かって移動してゆく（同図（ｋ）参照）。
【０１２７】
そして、押え部１１２がホーム位置に復帰し、印刷を完了した付箋紙４ａが付箋紙排出口６から外部に送り出されると、次のタイミングで、摩擦ローラ５２は、印刷位置から退避してホーム位置へと復帰する（同図（ｌ）参照）。このとき、摩擦ローラ５２が付箋紙印刷機構１１から離間するため、歯車連結が解除されインクリボンＲの走行も停止する。
【０１２８】
このように、本実施形態の付箋紙プリンタ１によれば、摩擦ローラ５２の一連の回転駆動およびこれに連動した押え部１１２の潜入動作により、セットした付箋紙束４から付箋紙４ａを一枚ずつ適切に捲り上げ、付箋紙束４を押えた状態で引き剥がしながら送ると共に、印刷を行い、その後、プリンタ１外に排出することができる。これにより、付箋紙束４のセット状態を安定に維持しながら、一枚ずつ適切に引き剥がされて所望の印刷データを印刷した付箋紙４ａを、簡単に作成することができる。
【０１２９】
なお、付箋紙印刷機構１１に設けたガイドローラ１４２は、摩擦ローラ５２とサーマルヘッド１３８との間で、付箋紙４ａを引き剥がして送り出すことができる十分な摩擦力を奏させることで省略してもよい。また、本実施形態の付箋紙束４に代え、付箋紙４ａの基端側の端面のみを糊付けして積層した形式の付箋紙束であってもよい。さらに、付箋紙４ａを感熱式のものとして構成し、リボンカートリッジ８を不要とする構成にしてもよい。
【０１３０】
また、付箋紙ホルダ２１において、付箋紙導入開口５を装置ケース２の下面に設けたが、これを装置ケース２の前面下部に設けてもよい。すなわち、付箋紙ホルダ２１を付箋紙プリンタ１に対し引き出し形式として構成してもよい。
【０１３１】
なおまた、押圧片部１１８を、揺動アーム１１７の先端部に回転自在に支持したローラで構成してもよいし、さらには押圧ブロック部１６５もローラで構成してもよい。すなわち、押え部１１２をローラで構成することはもちろん、この押え部１１２の形状自体、上記に限定されるものでない。
【０１３２】
また、図１４に示すように、摩擦ローラ５２を付箋紙束４の先端側に配置するのに代え、その長手方向の中間位置に配置してもよい。この場合には、転接位置で摩擦ローラ５２が回転すると、最上位の付箋紙４ａは、次の付箋紙との間ですべりを生じながら、糊付け部４ｂに向かって大きく湾曲して撓んでゆく。すなわち、付箋紙４ａは、略「Ω」字状に撓み、この撓みに基づいて摩擦ローラ５２に突っ張るように接触する。そして、この状態で（「Ω」字状に撓んだ直後に）、摩擦ローラ５２を上動させることで、付箋紙４ａを確実に捲り上げることができる。
【０１３３】
次に、他の実施形態に係る複数の付箋紙供給機構１２について、図１５ないし図１８を参照して説明する。これらの複数の実施形態では、上記実施形態とは、付箋紙束４の糊付け部４ｂ側に位置する位置規制部３６の構造が異なっており、この位置規制部３６（押圧部材）は、付箋紙４ａの引き剥がしに抗するように付箋紙束４の糊付け部４ｂを上側から押えていると共に、付箋紙４ａを鋭角方向に引き剥がす際の、引き剥がしのための角度（引剥し角度）を許容した状態としている。これにより、付箋紙４ａを位置規制部３６から引き出しやすくなり、付箋紙束４を安定にセットしつつ、付箋紙４ａの重ね引剥しを有効に防止することができるようになっている。なお、束押え機構２３を省略した構造としたが、もちろんこれを併用した構造としてもよい。
【０１３４】
図１５に示す第２実施形態に係る位置規制部３６は、ホルダ本体３２の上端部から内側に突出してこれに一体に形成され、糊付け部４ｂの基端側を押える押圧部１９１と、押圧部１９１から先端側に延び付箋紙４ａの斜め先上がりを非押圧状態で許容する非押圧部１９２と、押圧部１９１から基端側へと付箋紙束４に対し非押圧状態で延びホルダ本体３２の上端部に連なる離間部１９３とで一体に構成されている。押圧部１９１は、付箋紙束４に対し幅方向に亘って略線状に接触し、先端側の位置規制部３５と共にセットステージ３１との間で付箋紙束４を挟持する。一方、非押圧部１９２は、付箋紙束４に非接触状態で延在していると共に、その下面が、斜め先上がりに傾斜して引剥し角度を許容している。
【０１３５】
これにより、付箋紙４ａを斜め先方の鋭角方向に引き剥がしてゆくと、付箋紙４ａは、その上面を非押圧部１９２の下面に案内されながら、糊付け部４ｂから粘着性を解除されて次第に剥されてゆき、押圧部１９１に接する部分でのみ下方に押えられた状態となる。このため、付箋紙４ａの押え面積が小さくなり引剥し易くなる。また、非押圧部１９２が押圧部１９１から、先端側に張り出しているため、引き剥がしに伴って、付箋紙束４が位置規制部３６による押えから外れること（上方への離脱）を有効に防止することができる。
【０１３６】
図１６に示す第３実施形態に係る位置規制部３６は、付箋紙束４に転接する押えローラ１９５で構成されている。押えローラ１９５は、ホルダ本体３２の上端部に両持ち支持されたローラ軸１９６と、ローラ軸１９６に回転自在に装着したローラ本体１９７とで構成され、ローラ本体１９７が付箋紙束４にその幅方向に亘って接触している。
【０１３７】
これにより、付箋紙４ａを引き剥がしてゆくと、押えローラ１９５が図示時計回り方向に回転することとなる。したがって、付箋紙４ａの引剥し角度を許容しつつ、その引き剥がしを促進することができるため、摩擦ローラ５２の引き剥がしトルクも小さくすることができる。また、線状に転接するローラ本体１９７の接触部分（押え部分）から、付箋紙束４に対し非接触状態で先端側に延在しているため、付箋紙束４を上側から有効に押えることができる。
【０１３８】
この場合、同図（ｂ）の概念図に示すように、押えローラ１９５を下方に付勢した状態としてもよい。これにより、押えローラ１９５は上下方向に移動自在となり、付箋紙束４を確実に押えた状態で、引き剥がしを一層促進することができる。なお、この構造は、例えば、上記した摩擦ローラ５２とピックアップアーム８０との間に設けた構造を適用することで構成することができる。
【０１３９】
図１７に示す第４実施形態に係る位置規制部３６は、後部２０３をホルダ本体３２の上端部に回動自在に支持された押え片２０１と、押え片２０１を付箋紙束４に向かって付勢する押え用ばね２０２とを有している。押え片２０１は、後部２０３を中心として上下方向に開閉自在となり、付箋紙束４の幅方向に亘って延在している。
【０１４０】
したがって、付箋紙４ａの引き剥がし時には、その外力により押え片２０１は、押え用ばね２０２に抗して前部２０４が付箋紙束４の表面から逃げるように上方に回動して、引剥し角度を許容すると共に、後部２０３で糊付け部４ｂの基端側を押えた状態とする（同図（ｂ）参照）。また、引剥し後には、押え用ばね２０２により押え片２０１は、前部２０４が下方に回動復帰して、前部２０４から後部２０３に亘った面で付箋紙束４を押えた状態とする（同図（ａ）参照）。
【０１４１】
また、図１８に示す第５実施形態に係る位置規制部３６は、ホルダ本体３２の上端部に一体形成されたばね性を有する押え爪片２０７で構成さている。押え爪片２０７は、下面が付箋紙束４の糊付け部４ｂに面接触していると共に、先端側に延びるにつれて薄肉に形成されている。
【０１４２】
したがって、付箋紙４ａの引剥し時には、その外力により押え爪片２０７は、自身のばね性に抗して前部２０４が付箋紙束４の表面から逃げるように上方へと撓み、引剥し角度を許容すると共に、後部２０３で糊付け部４ｂの基端側を押えた状態とする（同図（ｂ）参照）。そして、引剥し後には、自身のばね性により押え爪片２０７は、撓みが解消されて、前部２０４から後部２０３に亘る下面で付箋紙束４を押えた状態とする（同図（ａ）参照）。
【０１４３】
このように、第４および第５実施形態に係る位置規制部３６によれば、付箋紙４ａの引き剥がしに伴って、引き剥がしの外力によりその引剥し角度に追従するように、位置規制部３６の前部２０４（引剥し許容部）が斜め先上がりに角度変化して、糊付け部４ｂの面接触が解かれ、且つ後部２０３（押圧部）が糊付け部４ｂの基端側を略線接触状態で押えることができることとなる。
【０１４４】
図１９は、第３実施形態の変形例を示している。本実施形態では、付箋紙ホルダ２１の構造が異なるものとなっており、付箋紙ホルダ２１は、略引剥し方向（前後方向）に付箋紙束４を相対的に移動自在にセットすると共に、付箋紙束４の基端側の移動端位置を位置規制可能に構成されており、付箋紙束４を基端側に向かって付勢するコイルばね２１０から成るサブ付勢部材を更に備えている。
【０１４５】
具体的には、付箋紙ホルダ２１のホルダ本体３２は、セットステージ３１および付箋紙束４に対し前後方向に長く形成されており、その内側面で、セットステージ３１を幅方向にのみ位置規制して上下方向および前後方向のスライド移動を案内する。コイルばね２１０の一端はセットステージ３１の下端部に係止され、他端はホルダ本体３２の押えローラ１９５側の内側面に係止され、これにより、セットステージ３１が後方に向かって付勢されている。すなわち、このコイルばね２１０により、セットステージ３１は、前後方向に移動自在となると共に、その後側の移動がホルダ本体３２の内側面に当接することで規制されている。
【０１４６】
したがって、付箋紙４ａを引き剥がしてゆくと、その引剥し力により押えローラ１９５が回転すると共に、付箋紙束４がコイルばね２１０のばね力に抗して先端側へとセットステージ３１に載置された状態でスライド移動される（同図（ｂ）参照）。これにより、引き剥がし時において、付箋紙束４の押え位置を糊付け部４ｂの基端側へと移動させることができるため、付箋紙４ａがより引き出され易くなる。なお、サブ付勢部材をコイルばね２１０で構成したが、ホルダ本体３２に一体成形された板状のばねで構成してもよい。
【０１４７】
なおまた、この場合の位置規制部３６が押えローラ１９５に限るものでないことは言うまでもない。すなわち、付箋紙ホルダ２１を上記各実施形態に適用することで、例えば、第２実施形態では押圧部１９１は、付箋紙４ａの引き剥がしに伴う付箋紙束４の非押圧部１９２側へのスライドを許容し、第４および第５実施形態では、付箋紙束４の引剥し許容部（位置規制部３６の前部２０４）側へのスライドを許容する。
【０１４８】
ところで、上記各実施形態の付箋紙供給機構１２は、印刷前のみの使用に限らず、印刷後の付箋紙の捲り上げ・引き剥がしに適用してもよい。たとえば、本出願人が先に出願した特願２０００−２４３６０９号に記載の付箋紙プリンタにおいて、ユーザに委ねた印刷済み付箋紙の引き剥がしを、上記各実施形態の付箋紙供給機構に適用することができる。これにより、ユーザに煩雑な作業を強いずにすむようになる。
【０１４９】
【発明の効果】
本発明の付箋紙供給装置によれば、捲り上げた付箋紙を迂回するようにして、その下側に潜入して付箋紙束を押えているため、付箋紙束のセット位置を適切に維持しつつ、付箋紙を一枚ずつ引き剥がすことができる。また、付箋紙束の表面廻りが煩雑化しないため、引き剥がしの前提となる付箋紙の捲り上げにも支障をきたすことがない。
【０１５０】
本発明の他の付箋紙供給装置によれば、押圧部材が、捲り上げた付箋紙の引き剥がし角度を許容しつつ、この付箋紙を含めて付箋紙束の基端側を押えているため、付箋紙の引き剥がしを問わず、付箋紙束をセット位置に安定して臨ませることができると共に、付箋紙の一枚ずつの引き剥がしを円滑且つ確実に行うことができる。
【０１５１】
本発明の付箋紙プリンタによれば、セットした付箋紙束に対する一連の機構動作により、或いは押圧部材の作用により、自由端側から捲り上げた付箋紙を一枚ずつ適切に引き剥がすことができるため、これに相前後して所望の印刷データの印刷に、付箋紙を適切に供することができる。
【図面の簡単な説明】
【図１】本発明の一実施形態に係る付箋紙プリンタの全体斜視図である。
【図２】付箋紙プリンタの装置ケースを省略して内部の構造を示す斜視図である。
【図３】図２において、リボンカートリッジを装着した付箋紙プリンタの斜視図である。
【図４】付箋紙プリンタの内部の構造を示す分解斜視図である。
【図５】付箋紙プリンタの装置ケースを省略して内部の構造を示す部分断面正面図である。
【図６】付箋紙プリンタの底面図である。
【図７】付箋紙供給機構廻りの斜視図である。
【図８】端面カム機構および反対カム機構による動作を示す付箋紙供給機構廻りの正面図である。
【図９】図８において、裏側から見た付箋紙供給機構廻りの正面図である。
【図１０】パーソナルコンピュータと付箋紙プリンタとをリンクさせた状態を示す説明図である。
【図１１】パーソナルコンピュータと付箋紙プリンタとをリンクさせた状態のブロック図である。
【図１２】パーソナルコンピュータによるモニター画面上での操作を示す説明図。
【図１３】付箋紙供給機構による一連の動作を示す流れ図である。
【図１４】付箋紙供給機構の変形例を簡略化して示す説明図である。
【図１５】第２実施形態にかかる付箋紙供給機構廻りを簡略して示す正面図である。
【図１６】第３実施形態にかかる付箋紙供給機構廻りを簡略して示す正面図である。
【図１７】第４実施形態にかかる付箋紙供給機構廻りを簡略して示す正面図である。
【図１８】第５実施形態にかかる付箋紙供給機構廻りを簡略して示す正面図である。
【図１９】第３実施形態の変形例を簡略して示す正面図である。
【符号の説明】
１  付箋紙プリンタ
４  付箋紙束
４ａ  付箋紙
４ｂ  糊付け部
１１  付箋紙印刷機構
１２  付箋紙供給機構
２１  付箋紙ホルダ
２２  引剥し機構
２３  束押え機構
３６  位置規制部（押圧部材）
２９  リボン巻取機構
４０  リボン巻取軸
４１  リボン巻取ギヤ
５１  駆動モータ
５２  摩擦ローラ
５３  減速ギヤ列
６８  入力ギヤ（回転円板）
７１  端面カム溝
７２  偏心ピン
８０  ピックアップアーム
１１０  押え補助部材
１１１  回動アーム
１１２  押え部
１１７  揺動アーム
Ｒ  インクリボン
ＰＣ  パーソナルコンピュータ
【図１】
0003912116.tif 000002
【図２】
0003912116.tif 000003
【図３】
0003912116.tif 000004
【図４】
0003912116.tif 000005
【図５】
0003912116.tif 000006
【図６】
0003912116.tif 000007
【図７】
0003912116.tif 000008
【図８】
0003912116.tif 000009
【図９】
0003912116.tif 000010
【図１０】
0003912116.tif 000011
【図１１】
0003912116.tif 000012
【図１２】
0003912116.tif 000013
【図１３】
0003912116.tif 000014
【図１４】
0003912116.tif 000015
【図１５】
0003912116.tif 000016
【図１６】
0003912116.tif 000017
【図１７】
0003912116.tif 000018
【図１８】
0003912116.tif 000019
【図１９】
0003912116.tif 000020